Podtech/llm-jp-corpus-v4-ja_patent huggingface dataset:
(57)【要約】      （修正有）【課題】アロマポットなどの加熱器や、スプレーなどの拡散器を用いずに、手軽に生活環境上有益なアロマオイル(精油)を、住空間に芳香させる芳香器を提供する。【解決手段】内部に空間部を形成した衝立枠１と、衝立枠１の上方側に設けた漏斗状余剰液受け口７と、衝立枠１の空間部で、漏斗状注入口７に一端が保持され、他の端が衝立枠１に保持され、凧形状を保ち、漏斗状注入口７から注入されたアロマオイル(精油)溶液が浸潤された綿布からなることを特徴とする。【選択図】図１
0003154807.tif 000002
【実用新案登録請求の範囲】
【請求項１】
空間に芳香を拡散するようにした衝立型アロマオイル（精油）芳香器において、
内部に空間部を形成した衝立枠と、
この衝立枠の上方側に設けた漏斗状余剰液受け口を備えた余剰液受け手段と、
衝立枠の空間部で、漏斗状注入口に綿布の一端が保持され、他の端が衝立枠保持され、凧形状を保ち、漏斗状注入口から注入されたアロマオイル(精油)溶液が浸潤され、アロマオイル(精油)成分が芳香するように拡張された綿布と、
から構成された衝立型アロマオイル(精油)芳香器。
【考案の詳細な説明】
【技術分野】
【０００１】
本装置は、普段の生活環境に有益なアロマオイル(精油)を、手軽な手段で芳香させるアロマオイル(精油)芳香器に関するものである。
【背景技術】
【０００２】
従来のアロマオイル(精油)を芳香させる手段は、伝統的なキャンドルを使うアロマポットなどで、壷のような形の陶器の上部に精油と水を入れ、下からキャンドルの熱で温め、精油を水蒸気と一緒に芳香させる方法、またはキャンドルの代わりに、熱源として電気を使うアロマランプ(ライト)や、アロマディフューザを用いて精油の微粒子を霧状にして拡散させるものなどで、本装置のように手軽に芳香させる装置が無い。
【図面の簡単な説明】
【０００３】
【図１】本考案の衝立型アロマオイル(精油)芳香器の一実施例を示す工程表示図である。
【考案の概要】
【考案が解決しようとする課題】
【０００４】
アロマオイル(精油)を拡散させる手段として、キャンドルで香炉を温める方法では、香りが熱のために変質する心配がある。さらに精油は引火性が高いため、キャンドルの火が引火して燃え上がり、火傷や火災の心配があるため、特に子供のいる家庭には不向きである。
【０００５】
電気式のアロマランプ(ライト)による方法では、外出や就寝の度にスイッチを切らねばならないし、水周りでは感電の危険がある。
【０００６】
アロマディフューザを用いて、強制的に精油を霧状に噴霧すれば、気密性の高い現代住宅では香りが残り過ぎてしまう。
【０００７】
ルームスプレーを用いる方法で、木製品、ベルベット、シルクなどに精油が付着すると染み跡ができてしまう。
【０００８】
布に香りをつける方法で、大きなポリ袋に布と精油を一緒に入れて口を閉じて一晩置き、月に一度同じ作業を繰り返す手段があるが効率が悪い。
【課題を解決するための手段】
【０００９】
精油に含まれる化学成分は、アルコール、フェノール、テルペン、エステル、ケトン、アルデヒドなどで、いわゆる揮発性有機化合物(VOC)と呼ばれる揮発性物質である。
綿布は中空の繊維が交差して構成されているので、液体物質の保水力に優れている一方で、天然繊維独特の通気性の良さや、広い表面積により揮発性物質を蒸散させるのに適している。
【００１０】
精油の揮発性や綿布の保水力や蒸散力を利用して、加熱や振動およびスプレーなどを利用する事なく、精油成分を蒸散させるのが本装置である。
図−１が示すように、凧形状に拡張された綿布上端よりアロマオイル(精油)溶液を注入し、途中液垂れする事なく精油成分が綿布前面に広がって浸潤し、揮発性物質が蒸散して香りを空間に拡散させる。
【考案の効果】
【００１１】
本考案によって、精油の熱による変質、火傷や火災の心配、電気関係のスイッチの切り忘れや感電、過度の香りや染みの心配が無くなり、伝統的な衝立型で日本人の感覚で精油及び綿布が持つ自然の作用を利用して、空気中に漂う心地よい精油の香りを楽しむ事ができる。
【考案を実施するための形態】
【００１２】
図１は本考案の、アロマオイル(精油)芳香器の工程表示図であり、以下のステップを経て芳香させる。
衝立枠１内に綿布９を上端部はアロマオイル注入口３の下部に捩じ込まれ、左右端はフック４にて吊され、下端部はバラスト６により余剰液受け口７内に引張られて、凧形状に拡張された状態で、アロマオイル溶液10をアロマオイル注入口３より注入すれば、溶液が途中で液垂れすること無く綿布９全面に浸潤し、精油成分のなかの揮発性物質が蒸散して、香りを芳香させる。なお、アロマオイル溶液10の余剰液は綿布９下端より余剰液受け口７に滴下して、受器８で回収される。
【実施例】
【００１３】
本装置を部屋の広さ６坪で日当たりが良く、閉ざされた木製窓近くに置き、無水エタノール20cc精製水40cc、今回使用する精油としてカンファー５滴、スパイクラベンダー５滴、ローズウッド５滴にてアロマオイル(精油)溶液約60ccを調製し、アロマオイル注入口３より一気に注ぎ入れると、約３分かけて凧形状に拡張された綿布９に浸潤し、約10分後には途中で衝立枠１内に液垂れすることなく全面に前記溶液が拡がり、ほのかな香りの芳香が始まる。その後約３時間で綿布９は乾くが、香りは半日程度の間継続した。なおアロマオイル(精油)溶液10注入から３時間後に、受器８において確認された余剰液は、ほんの数滴程度の少量であった。
【符号の説明】
【００１４】
１.衝立枠
２.衝立台
３.アロマオイル注入口
４.フック
５.ゴム紐
６.バラスト
７.余剰液受け口
８.受器
９.綿布
10.アロマオイル(精油)溶液
【図１】
0003154807.tif 000003
(57)【要約】      （修正有）【課題】ヘッドの形状を改善したゴルフクラブを提供する。【解決手段】クラブのソールの部分に鋭角にギザギザを入れ、ヘッドの振り抜き、芝や地面との抵抗を軽減でき、飛距離も期待できる。クラブの形状を改善することで格段の飛距離の伸長と、かつスピン量の増加が期待でき、また、ダフリやラフの深い所でのミスショットが軽減することも可能である。【選択図】図１
0003154805.tif 000002
【実用新案登録請求の範囲】
【請求項１】
ゴルフクラブの形状を改善することで格段の飛距離の伸長と、かつスピン量の増加が期待できる。また、ダフリやラフの深い所でのミスショットが軽減することも可能である。
【考案の詳細な説明】
【技術分野】
【０００１】この考案はゴルフクラブのフェース形状を改善することでナイスショットを連発させる装置である。
【考案が解決しようとする課題】
【０００２】従来のゴルフクラブはエッジが直線的である。
そのためショット時の芝や地面との抵抗が強くなり、振り抜けが悪くヘッドスピードが落ちるので、飛距離が落ちスピンもかかりにくくなるという問題がある。
【課題を解決するための手段】
【０００３】本案はその欠点を防ぐためにゴルフクラブの形状を改善したものである。
この従来のゴルフクラブの欠陥を解決するため、クラブのソールの部分に鋭角にギザギザを入れ、ヘッドの振り抜き、芝や地面との抵抗を軽減でき、飛距離も期待できる。
【考案の効果】
【０００４】ゴルフクラブの形状を改善することで格段の飛距離の伸長と、かつスピン量の増加が期待できる。また、ダフリやラフの深い所でのミスショットが軽減することも可能である。
【図面の簡単な説明】
【０００５】
【図１】本案の断面図  本考案のゴルフラブのヘッド部分の側面図である。
【図２】本案の平面図  本考案のゴルフラブのヘッド部分の下面図である。
【考案を実施するための形態】
【０００６】特にフェアウェイウッド、アイアン等に効果があるが、ゴルフグッズ全般（ウッド、パター等）にも活用は可能である。
この考案は側面、下面の形状は必ずしも規則的でなくともよい。
【図１】
0003154805.tif 000003
【図２】
0003154805.tif 000004
【手続補正書】
【提出日】平成21年7月27日(2009.7.27)
【手続補正１】
【補正対象書類名】実用新案登録請求の範囲
【補正対象項目名】全文
【補正方法】変更
【補正の内容】
【実用新案登録請求の範囲】
【請求項１】
ソール部に鋭角にギザギザを入れたことを特徴とするゴルフクラブ。
(57)【要約】      （修正有）【課題】お盆のお墓参りの際に、迎え火送り火として燃やすかんば（白樺の樹皮）を、燃えやすい状態で提供する。【解決手段】かんばを、点火しやすいようにはじめから適用サイズに裂き、袋等に入れる。【選択図】図１
0003154804.tif 000002
【実用新案登録請求の範囲】
【請求項１】
かんば（白樺の樹皮）を、燃えやすいようはじめから裂いた状態で提供する方法。
【考案の詳細な説明】
【技術分野】
【０００１】  本考案は一部地域において、お盆のお墓参りに迎え火送り火として燃やすかんばと称する、白樺の樹皮を乾燥させたものに関するものである。
【背景技術】
【０００２】  従来から、かんばは板状もしくは筒状のいずれかによって提供されていた。そのかんばは手もしくはハサミ等で切り裂いてお墓参りの際、墓前や玄関先にて迎え火送り火として燃やされていた。ものによっては手で裂くことが至難であり、ハサミ等の道具を使用しなければならない手間のかかる物であった。
【考案の概要】
【考案が解決しようとする課題】
【０００３】  板状もしくは筒状のかんばは、使用の際必ず手で裂くか、ものによっては手で裂くことが至難であり、ハサミ等の道具を使用しなければならない手間のかかる物であったため、その手間を省く要望があった。本考案は以上の手間を省くためになされたものである。
【課題を解決するための手段】
【０００４】  本考案のかんばは、点火しやすいようにはじめから適用サイズに裂き、袋等に入れ提供をする。
【考案の効果】
【０００５】  本考案のかんばは使用の際、ハサミ等の道具を使用せず、袋から出しそのまま点火できる。手の汚れも減り、余った際には袋ごと持ち帰ることもできる。なにより従来の裂く行為を省くことができ、手間を無くすことができる。
【考案を実施するための形態】
【０００６】  以下、本考案を実施するための最良の形態について説明する。
【０００７】  白樺の樹皮であるかんばを、およそ０．３ｍ２前後に切り裂き、迎え火送り火に１回から２回の使用の適量５０グラムから１５０グラム程度をポリ袋及び紙袋などに入れ提供をする。
【０００８】  この説明の手順・容量・サイズに限定されるものではない。
【図面の簡単な説明】
【０００９】
【図１】はかんば（白樺の樹皮）を裂いた状態の斜視図である。
【図１】
0003154804.tif 000003
【手続補正書】
【提出日】平成21年7月23日(2009.7.23)
【手続補正１】
【補正対象書類名】実用新案登録請求の範囲
【補正対象項目名】全文
【補正方法】変更
【補正の内容】
【実用新案登録請求の範囲】
【請求項１】
はじめから燃えやすく裂いた形状のかんば（白樺の樹皮）。
(57)【要約】      （修正有）【課題】カラスに荒らされず、不使用時に嵩張らず、安価である戸別ゴミ収集ボックスを提供する。【解決手段】同じサイズの正方形のワイヤーネット５枚とリング１０個を底なし上開きの箱型にする。【選択図】図４
0003154809.tif 000002
【実用新案登録請求の範囲】
【請求項１】
同サイズ正方形５面からなるワイヤーネットの底なしの箱型の物で、側面同士、一側面と蓋面を連結するリングなリが、緩みがありたためること
【考案の詳細な説明】
【技術分野】
【０００１】この考案は戸別ゴミ収集の際の、簡単にたためるワイヤーボックスのゴミ袋入れである
【背景技術】
【０００２】
【特許文献】  特許公開２００４−１０２３０  ゴミ収集ボッス
【特許文献】  特許公開２００３−１９２１０  折畳式ゴミ収集ボックス
【考案の概要】
【考案が解決しようとする課題】
【０００３】この考案は、戸別収集の際使われている、ポリバケツの不使用時のかさばり、風に飛ばされる難点、カラスよけの網ネットの、軽いための、カラスにゴミを荒らされる難点、又特許文献の大型で高価な問題点を解決するものである。
【課題を解決するための手段】
【０００４】このたためる戸別ゴミ収集ボックスは、５面同サイズの正方形のワイヤーネットと緩めのリングから出来ており、ゴミを入れて蓋面をすると網ネットに比べ、重量もあり、カラスが開けることができず、不使用時には、ばたばたとたためて１面の大きさのぺしゃんこになり、嵩張らず風に飛ばされることもなく、ワイヤーネット５枚と留め金リング数個で出来るため単純で安価に出来る。
【考案を実施するための形態】
【０００５】正方形のワイヤーネットを同サイズ５枚とリング１０個より作れる底なし、上開きの箱である。
【実施例】
【０００６】使用する際は、４面を四角に広げ、蓋面を上げ、ゴミ袋を入れて蓋面を下げて使う。【０００７】使用後や使用しない日には、まず蓋面を開け、４面の箱をぺしゃんこにつぶすように平面にし、二つ折りにし、蓋面を沿わせると、１面のサイズになり、嵩張らず仕舞える。
【図面の簡単な説明】
【０００８】
【図１】上面図
【図２】側面よりの図
【図３】斜め上よりの図
【図４】使用時の図
【図５】たたんだ不使用時の図
【符号の説明】
【０００９】１      蓋面ワイヤーネット
２      箱用脇面ワイヤーネット
３      留め金用リング
【図１】
0003154809.tif 000003
【図２】
0003154809.tif 000004
【図３】
0003154809.tif 000005
【図４】
0003154809.tif 000006
【図５】
0003154809.tif 000007
【手続補正書】
【提出日】平成21年7月30日(2009.7.30)
【手続補正１】
【補正対象書類名】実用新案登録請求の範囲
【補正対象項目名】全文
【補正方法】変更
【補正の内容】
【実用新案登録請求の範囲】
【請求項１】
正方形のワイヤーネットを同サイズ５枚とリング１０個より作れる底なし上開きの箱型の、たためる戸別ゴミ収集ボックス。
【手続補正２】
【補正対象書類名】明細書
【補正対象項目名】０００８
【補正方法】変更
【補正の内容】
【０００８】
【図１】斜め上よりの図
【図２】蓋を閉めた状態の図
【図３】たたむ途中の図
【図４】使用時の図
【図５】たたんだ不使用時の図
【手続補正３】
【補正対象書類名】明細書
【補正対象項目名】０００９
【補正方法】変更
【補正の内容】
【０００９】１      蓋面ワイヤーネット
２      箱用脇面ワイヤーネット
３      緩みのある留め金リング
４      より緩みがある留め金リング
【手続補正４】
【補正対象書類名】図面
【補正対象項目名】全図
【補正方法】変更
【補正の内容】
【図１】
0003154809.tif 000008
【図２】
0003154809.tif 000009
【図３】
0003154809.tif 000010
【図４】
0003154809.tif 000011
【図５】
0003154809.tif 000012
(57)【要約】      （修正有）【課題】プラスチック繊維不織布のマスクで、芯材を細形塑性とすることにより、収納時平面・装着時球面を成し、その形状が使用時・休止時共に永く保たれるようにしたマスクを提供する。【解決手段】塑性プラスチック極細平板形材を芯材２として内蔵し、他方向へ曲癖を付ける事が可能で、かつ、左右両端を縁取る加熱圧着によるヒートシール３が点線状に連なりつつ並行して曲線を成すようにして、壁付きマスクを構成する。【選択図】図１
0003154806.tif 000002
【実用新案登録請求の範囲】
【請求項１】
塑性プラスチック極細平板形材を芯材として内蔵し  多方向へ曲癖を付ける事が可能で、かつ  左右両端を縁取る熱複点線が曲線を成す  襞付きマスク。
【考案の詳細な説明】
【技術分野】
【０００１】  本考案は、使用時いかに顔面へフィットさせるか  マスクの構成に関する工夫である。
【背景技術】
【０００２】  従来  収納時は平面で、装着時は顔面に添って球面である工夫として、箱襞が採用されたが、不充分であった。【０００３】  顔面の複雑で個体差ある曲面にフィットさせる為  鼻部分と口部分に平板型芯材を付けてその塑性変形によっても  それは難しかった。
【考案の開示】
【考案が解決しようとする課題】
【０００４】  箱襞が張力に従い変形するのに対し、張力に交差して起こる圧縮応力対策として芯材を採用するのみでなく、箱襞が変形して新たに形成した複雑な曲面に追従しそれを保持する為  芯材はあらゆる方向に変形可能である様  細形塑性とした。【０００５】  箱襞は顔面に対し水平方向に採用される場合もあるし、垂直方向に採用される場合もあるが、いずれも  箱襞に沿って芯材は施されねば成らないが  マスク左右両端を形成する熱複点線を曲線とした。
【課題を解決するための手段】
【０００６】  芯材として細幅平型断面型材を採用し、いずれの部位に於いても外部に露出せず、マスク素材に覆われて居ることが望ましい。【０００７】  細平型材はマスク素材との加工性・親和性からやや硬い塑性プラスチックが望ましい。
【考案の効果】
【０００８】  耳掛けによる平面から球面への変形に伴い、派生する各種応力に対し、芯材は張力・圧縮力に抵抗し、原型を保ちつつ、顔面に沿った曲面を保持する。
【考案を実施するための最良の形態】
【０００９】  不織布による箱襞マスクで、やや硬い塑性プラスチック型材を芯材として採用する。
【実施例１】
【００１０】  プラスチック繊維不織布の箱襞があるマスクで、箱襞に沿ってやや硬いプラスチック細型材を芯材として採用した。
【図面の簡単な説明】
【００１１】
【図１】マスクの箱襞が水平方向で、芯材も水平方向にあり、両端に曲線の熱複点線のあるマスク。
【符号の説明】
【００１２】  １  箱襞
２  やや硬い塑性プラスチック細型材
３  マスク両端を縁取る熱複点線
【図１】
0003154806.tif 000003
【手続補正書】
【提出日】平成21年7月24日(2009.7.24)
【手続補正１】
【補正対象書類名】実用新案登録請求の範囲
【補正対象項目名】全文
【補正方法】変更
【補正の内容】
【実用新案登録請求の範囲】
【請求項１】
塑性プラスチック極細平板形材を芯材として内臓し  他方向へ曲癖を付ける事が可能で、かつ  左右両端を縁取る  加熱圧着によるヒートシールが点線状に連なりつつ並行して曲線を成す  襞付きマスク。
(57)【要約】      （修正有）【課題】公共の場所等で、確実に滑り止め効果の得られる床用石質板を提供する。【解決手段】基盤となる石質板１と足に躓かない程度に飛び出した滑止部材２から成る。滑止部材２を接着剤３で固着するために、基盤となる石質板１の貫通した穴を設けている。【選択図】図２
0003154803.tif 000002
【実用新案登録請求の範囲】
【請求項１】
基盤となる石質板に滑止部材を取り付けるための貫通した穴を設け、製作時には天地逆向きにして、重力を利用した滑止部材の高さ調節を行い、接着剤で固定したことを特徴とする滑り止め機能のついた石質板
【考案の詳細な説明】
【技術分野】
【０００１】  本考案は、石材を基本とする床板に、確実に効果の得られる滑り止めを設けた床用石質板に関するものである。
【背景技術】
【０００２】  公共の場所に、滑り止め効果があると称して設置しているにもかかわらず、効果のない石質板が存在した。
【先行技術文献】
【特許文献】
【０００３】
【特許文献１】登録実用新案第３１１４７２７号
【考案の概要】
【考案が解決しようとする課題】
【０００４】  従来の滑り止め機能が付いた床面用石質板は、基盤となる石質板に凹部の溝を掘り、凹部溝中に、平面的に溝より一回り小さい滑り止めを、人がつまずがない程度の高さの位置に埋め、接着剤で固定するものであった。重力に逆らって浮かせた滑り止めを均等高さに調節することは難易なことであり、そのため、滑り止めが水平とならないことや、基盤と同一高さ以下となり、滑り止め効果のない部材も存在するという問題があった。
【課題を解決するための手段】
【０００５】  基盤となる石質板に滑り止めとなる部材よりも少し大きい貫通した穴をウォーターカッター機などを用いて開ける。完全に平らな平板を準備し、基盤となる石質板を天地逆向きに平板上に置く。この際、人がつまずかない程度の高さの調製用部材を平板と基盤となる石質板の間に挟み込む。貫通した穴に、滑り止め防止部材を天地逆向きに落とし込む。いずれの部材も重力によって、自立した高さとなり、その位置で接着剤を用いて固定する。
【考案の効果】
【０００６】  基盤となる石質板より突出した滑止部材は一定の高さとなり、滑り止め効果は確実に期待できる。
【図面の簡単な説明】
【０００７】
【図１】組立前の各部材の断面図である。
【図２】組立時の断面図である。
【図３】立体的な模式図である。
【考案を実施するための形態】
【０００８】本案のような滑り止めがない相当量の面積の床用石質板の場合、石質板の表面を砥石で研磨した、水磨き（砥石の粒度番号＃４００〜８００程度）仕上げや、粗ズリ（＃４００未満）仕上げ、床用石質板の表面を火焼きしたジェットバーナー仕上げ、先の尖った突起物がついたビットで石の表面を荒らすビシャン仕上げといった方法などが用いられる。当然、このような仕上げ方法でも、ある程度の滑り止め効果は得られるが、滑止部材の色を変えることにより、公共の場所では、通行人に、より注意喚起を促す。また、視覚的な効果だけでなく、床という連続面で、本案のような石質板の接触面からの体感的感触を与えることで、更なる注意喚起を促す。そのため、階段前、傾斜のついた路面、プラットホームの先端部分といった危険となる場所への設置に有効となる。
【実施例】
【０００９】  添付図面に従って、実施例を説明する。１は基盤となる石質板であり、２は滑り止めとなる部材（石材、セラミック、ガラス、金属、樹脂、ゴム等）であり、３は固定用接着剤、４は目地材、５は滑止部材を突出させるための高さ調節用部材（金属、アクリル板などの樹脂等）、６は滑り止め機能のついた石質板の製作時に使用する水平を保つ平板である。１に２を落とし込むための貫通した穴を開けるが、この穴の最低サイズは、２より若干大きく、１と２が平面的に接触することがない程度とする。１と２の間に目地が必要な場合には相当量の間隔を設けないといけない。２を所定の大きさで製作する。３の部材はバリアフリーを考慮し、本案では０．５ｍｍから１．０ｍｍ程度を基本とする。ただし、設置場所の条件により、この範囲を超えて高さ調節を行うことも有り得る。【００１０】  以降、用意した個別の部材を一体の部材にするための方法を示す。６の平板を作業台などに設置する。その上に、１を天地逆向きにして設置する。すなわち、通行人が接触する面を表面Ａとしたとき、この面Ａを下側とし、６の上面と相対するように設置する。１と６の間に高さ調節のために、５を挟み込む。２も同様に天地逆向きにし、これを、１の貫通した穴に落とし込むことで、６の上面と相対するように設置する。このとき、２は５によって、１から突出した間隔で６と接することになる。条件により、目地が必要な場合には、１と２の目地を等間隔になるように設置する。この後、１と２の裏面Ｂから３を用いて、固定する。３は図２のように固定する程度に取り付ければ可であるが、完全に１の裏面高さまで塞いでも構わない。目地を設けたばあいには、完全に固着した状態で表面Ａを上側に向け、４により目地を塞ぐ。
【符号の説明】
【００１１】１．    基盤石質板
２．    滑止部材
３．    固定用接着剤
４．    目地材
５．    高さ調整用部材
６．    完全に平らな平板
Ａ．    表面
Ｂ．    裏面
【図１】
0003154803.tif 000003
【図２】
0003154803.tif 000004
【図３】
0003154803.tif 000005
【手続補正書】
【提出日】平成21年8月19日(2009.8.19)
【手続補正１】
【補正対象書類名】実用新案登録請求の範囲
【補正対象項目名】全文
【補正方法】変更
【補正の内容】
【実用新案登録請求の範囲】
【請求項１】
基盤となる石質板と足に躓かない程度に飛び出した滑止部材から成る滑り止め機能のついた石質板で、滑止部材を接着剤で固着するために、基盤となる石質板の貫通した穴に挿入した滑止部材を垂直・水平方向の調節しやすいように、基盤となる石質板に貫通した穴を設けていることを特徴とする石質板。
(57)【要約】      （修正有）【課題】冷凍した食材に筋がつき、必要量を簡単に割って取り出せる事が可能になる、フリージングパック仕切りクリップ棒を提供する。【解決手段】フリージングパックに縦及び横に線を引き分割したい線上にクリップ棒を挟み込むが、クリップ棒の片方の端は自由自在に動かせる様に固定し、上部及び下部のクリップ棒に凹みを入れ分割したい凹み部分同士を結合させて、もう片方の端を留め具で固定させる。必要な分量をいくらでも挟み込む事が可能になる。【選択図】図３
0003154808.tif 000002
【実用新案登録請求の範囲】
【請求項１】
フリーシ゛ンク゛ハ゜ックに仕切りクリッフ゜棒を使用する事により、冷凍した食材に筋がつき、必要量を簡単に割って取り出せる事が可能になる、フリーシ゛ンク゛ハ゜ック仕切りクリップ棒である。
【考案の詳細な説明】
【技術分野】
【０００１】
本考案は、フリージングパックに食材を入れ、冷凍保存する際に分割する為に設けた、仕切りクリッフ゜棒に関するものである。
【背景技術】
【０００２】
カレー、ホワイトソース等の食材をフリーシ゛ンク゛ハ゜ックに入れて冷凍保存した場合、食べる人数及び分量に関係なく解凍していた。
【先行技術文献】
【特許文献】
【０００３】
【特許文献１】なし
【考案の概要】
【考案が解決しようとする課題】
【０００４】
フリーシ゛ンク゛ハ゜ックによる一括保存は、用途によって必要な分量を取り出すことが出来ず、また、使用する機会が限られる。さらに、余分な食材は処分する為、経済的損失が大きかった。従って、フリーシ゛ンク゛ハ゜ックに仕切りクリッフ゜棒を使用する事により、冷凍した食材に筋がつき、必要量を簡単に割って取り出せる事が可能になり、前途の欠点を解決しようとするものである。
【課題を解決するための手段】
【０００５】
本考案は、フリーシ゛ンク゛ハ゜ックに縦及び横に線を引き分割したい線上にクリッフ゜棒を挟み込むが、クリッフ゜棒の片方の端は自由自在に動かせる様に固定し、上部及び下部のクリッフ゜棒に凹みを入れ分割したい凹み部分どうしを結合させて、もう片方の端を留め具で固定させる。必要な分量をいくらでも挟み込む事が可能になり問題点を解決している。
【考案の効果】
【０００６】
上述の様に本考案のクリッフ゜棒は、必要な分量を取り出すことが出来るのは勿論、カレーとホワイトソース等、違う食材どうしでの組み合わせが可能になり、しかも、フリーシ゛ンク゛ハ゜ックから割って取り出し、タッハ゜ーなどに入れコンパクトに保存する事が出来るなど、保存方法が多種多様になることにより、料理に幅が広がり、冷凍庫内の整理にも役立つ。
【図面の簡単な説明】
【０００７】
【図１】本考案に係るフリージング仕切りクリッフ゜棒を構成する正面図である。
【図２】本考案に係るフリージング仕切りクリッフ゜棒を構成する正面図である。
【図３】本考案に係る図１のフリージング仕切りクリッフ゜棒と図２のフリジングクリップ棒を結合させたフリジングクリップ棒の完成体の正面図である。
【考案を実施するための形態】
【０００８】
以下、本考案の実施の形態を説明する。
【実施例】
【０００９】
フリーシ゛ンク゛ハ゜ックに冷凍保存したい食材を入れ、自由自在に動かせる様に固定している片方の端を持ち、フリーシ゛ンク゛ハ゜ックに書かれている線の分割したい箇所にクリッフ゜棒の下部を下方から分割したい分だけ、クリッフ゜棒の下部にある凹み部分を凹み部分同士結合させる。下部が決まれば上部を挟み込みもう片方の端を留め具で固定させる。上部にも凹み部分があるので、順に留め具で固定する。食材をしようする際には、クリッフ゜棒をすべて外し、クリッフ゜棒をしていていた部分が薄くなっている為、簡単に手で割ることが出来るので必要量を使用する事が可能となる。
【図１】
0003154808.tif 000003
【図２】
0003154808.tif 000004
【図３】
0003154808.tif 000005
【手続補正書】
【提出日】平成21年7月30日(2009.7.30)
【手続補正１】
【補正対象書類名】実用新案登録請求の範囲
【補正対象項目名】全文
【補正方法】変更
【補正の内容】
【実用新案登録請求の範囲】
【請求項１】
食材を封入したフリージングパックを挟む上下のクリップ棒片と、この上下のクリップ棒片の内側に一定間隔で而も上下同位置で対峙する凹部と、更に前記フリージングパックを上下クリップ棒片にて挟んだ状態において、該上下のクリップ棒片の先端を留める留め具とでなしたことを特徴としたフリージングパック仕切りクリップ棒。
(57)【要約】      （修正有）【課題】ブレーキとアクセルの踏み間違いによる事故を防止する自動車を提供する。【解決手段】自動車のペダルの位置を、右側にブレーキペダル、左側にアクセルペダルとする。【選択図】図１
0003154856.tif 000002
【実用新案登録請求の範囲】
【請求項１】
自動車のアクセスペタル、ブレーキペタルの位置を、右側にブレーキペタル左側にアクセルペタルを設けた事を特徴とする自動車。
【考案の詳細な説明】
【技術分野】
【０００１】
本考案は現在の自動車のアクセルペタル、ブレーキペタルの位置に関するものである。
【背景技術】
【０００２】
従来自動車発進の時は右足の前にある右側のアクセルペタルを踏み込み発進走行させ停止する時は右足を左側のブレーキペタルへ乗せ替えて踏み込み停止させする。
【考案の開示】
【考案が解決しようとする課題】
【０００３】
従来のアクセルペタル、ブレーキペタルの位置では突然の制動時や慌てた時に錯乱してブレーキを踏んだ積もりが、右足が常に右側のアクセルペタルを踏んで居るものですから突発の時も右足が無意識に右のアクセルペタルを踏み込み、人身事故や店舗への突込み事件衝突事件等を引き起こしている。此れ等の事故を防止する目的である。
【課題を解決するための手段】
【０００４】
この考案は自動車運転席のアクセルペタル、ブレーキペタルの位置に関するものであり、右側にブレーキペタル左側にアクセルペタルを設けた事を特徴とする自動車。
【考案の効果】
【０００５】
本考案の目的は突差の操作や思い違いの突発な操作で起こる事故を防止し安心安全な運転操作を求める考案で有る。少しの器材小さい手間で実現出来る特徴が有る。
【考案を実施するための最良の形態】
【０００６】
図１は本考案の運転席の足もとに設けて有るアクセル１と、ブレーキペタル２の位置の平面図である。走行中は右足は常に左側の１のペタルを踏み込み走行し、ブレーキを掛ける時は右足を右側の２のペタルに移動して踏み込み制動をする。
【０００７】
図２は従来のアクセルペタル１，ブレーキペタル２、を示す平面図である。
【０００８】
上記工程により本考案のペタルの位置は走行する時は右足で左側アクセルペタル１を踏み走行し制動には右側のペタル２を踏み安全停止を維持する。
【図面の簡単な説明】
【０００９】
【図１】は本考案の運転席に設置されているアクセルペタル１とブレーキペタル２を現わす平面図である。
【図２】従来の運転席に設置されて居るアクセルペタル１とブレーキペタル２の平面図である。
【符号の説明】
【００１０】
１    アクセルペタル
２    ブレーキペタル
３    運転座席
【図１】
0003154856.tif 000003
【図２】
0003154856.tif 000004
(57)【要約】      （修正有）【課題】肌の痒みを抑えるスキンケア用具を提供する。【解決手段】基板１上にポリウレタンフォーム製のパッド３を重畳配設する。パッド３を基板１の裏打ちにより、屈折変形非容易とする。パッド３を肌に軽く押し当て、擦り付けさせることで、パッド３が有する極微小の気孔により、肌表面に付着している角質等の老廃物の微小片を除去する。【選択図】図１
0003154870.tif 000002
【実用新案登録請求の範囲】
【請求項１】
基板上にポリウレタンフォーム製のパッドを重畳配設して成したことを特徴とするスキンケア用具。
【請求項２】
基板上に枠体を設け、該枠体にパッドを着脱自在に嵌設して成したことを特徴とする請求項１記載のスキンケア用具。
【請求項３】
基板の一端に柄を取付けたことを特徴とする請求項１又は２記載のスキンケア用具。
【請求項４】
基板の一端にベルトの一端を固定すると共に、基板の他端にベルトの他端を固定したことを特徴とする請求項１又は２記載のスキンケア用具。
【考案の詳細な説明】
【技術分野】
【０００１】
本考案は、乾燥、虫刺され、軽い湿疹、軽いアトピー性皮膚炎等による肌荒れおよび痒みを抑えるのに有用なスキンケア用具に関する。
【背景技術】
【０００２】
従来より、美顔、その他の肌の手入れを目的とした多種多様のスキンケア用具が提供されており、例えば、柄の先端に回転体を一軸回転自在に取付け、該回転体の表面に指圧用の小半球突起を多数設けた美顔器が見受けられる。
この様な美顔器は、回転体を顔面に軽く押し当て、回転させることで、小半球突起により顔面を刺激し、血行を促進させることにより、人体が元来有する自然治癒力を高め、肌を引き締めたり、肌荒れを回復させ、綺麗にする様にしたものであり、小半球突起にゲルマニウムやトルマリンを含有させることで、上記効果を更に高める様にしたものも提供されている。
【考案の概要】
【考案が解決しようとする課題】
【０００３】
ところが、乾燥等の理由で傷んで，痒みを患う肌に上記美顔器を使用すると、血行の促進により痒みが増し、とても使用に耐え得るものでなかった。
【課題を解決するための手段】
【０００４】
本考案は、基板上にポリウタンフォーム製のパッドを重畳配設することによって、パッドを基板の裏打ちにより、屈折変形非容易と成し、かかるパッドを肌に軽く押し当て、擦り付けさせることで、パッドが有する極微小の気孔により、肌表面に付着している角質等の老廃物の微小片を除去する様にして、上記課題を解決する。
【考案の効果】
【０００５】
要するに本考案は、基板上にポリウレタンフォーム製のパッドを重畳配設したので、基板の裏打ちにより、柔軟なパッドが容易に折れてしまわず、取扱いが容易となり、かかるパッドで肌を擦ることで、パッドが有する極微小の気孔により、肌表面に付着している角質等を吸着して、綺麗に除去することが出来る。
一般に、肌の痒みの主な原因は、古く固くなった肌の組織（角質）が完全に剥がれ落ちることなく肌に付着しており、これを異物として感知し、痒により異物付着を知覚するためである。
従って、本考案のスキンケア用具を荒れた肌に使用すれば、痒みを抑えることが出来、更には、毛穴や肌表面から老廃物を取除くことで、新陳代謝を促し、回復力を活性化し、肌を綺麗にして美顔効果をも得ることが出来る。
【０００６】
基板上に枠体を設け、該枠体にパッドを着脱自在に嵌設したので、パッドの着脱が容易であり、更には、使用に後に、パッドを取り外して洗浄することにより、パッドの気孔に詰まった汚れを除去して、吸着力を回復させることが出来、またパッドを常に衛生的に保つことが出来る。
【０００７】
基板の一端に柄を取付けたので、顔面への使用だけではなく、孫の手の様に用いて、背中等の様な手の届き難い箇所であっても、容易に痒みを取り除くことが出来る。
【０００８】
基板の一端にベルトの一端を固定すると共に、基板の他端にベルトの他端を固定したので、ベルトにより形成したループ内に指又は掌を通すことにより、老人、子供等の非力なものでも、基板を確実に把持でき、また健常者であっても、軽微な力で楽に把持できることから、とても使い勝手が良い。
又、ループ内に腕を通し携帯することが出来、置き忘れ等による紛失を防止することが出来る等その実用的効果甚だ大である。
【図面の簡単な説明】
【０００９】
【図１】本考案に係るスキンケア用具の概略平面図である。
【図２】図１のＡ−Ａ断面図である。
【図３】スキンケア用具の他例を示す概略正面図である。
【図４】図３のスキンケア用具の概略側面図である。
【考案を実施するための形態】
【００１０】
本考案のスキンケア用具は、図１及び２に示す様に、基板１の上面に枠体２を設け、該枠体２にパッド３を着脱自在に嵌設している。
パッド３は、ポリウレタンフォームから成り、その表面には、極細小の開気孔を無数に有している。
図１及び２のものでは、基板１の一端に柄４を取付けており、例えば、孫の手の様に用いる場合は、この様に柄４を設ければ良く、また美顔用ならば、柄４を省略して、携帯性および使い勝手を良くし、要するに、柄４の有無は、用途により適宜選択する様にすれば良い。
又、図３及び４に示す様に、基板１の一端にベルト５の一端を固定すると共に、基板１の他端にベルト５の他端を固定したものでは、使用時にベルト５により形成したループ内に指又は掌を通すことで、基板１を把持し易くなる。
【符号の説明】
【００１１】
１  基板
２  枠体
３  パッド
４  柄
５  ベルト
【図１】
0003154870.tif 000003
【図２】
0003154870.tif 000004
【図３】
0003154870.tif 000005
【図４】
0003154870.tif 000006
(57)【要約】      （修正有）【課題】建設機械従来の形式を変える事無く漏洩した油脂類の地面落下を未然に防ぐとこが可能な建設機械エンジン質油脂類防滴防止装置を提供する。【解決手段】エンジン室に設けてあるアンダーカバー本体に防滴受皿を、建設機械油圧機器及びエンジン本体の漏洩予測下部へ設けるとともに、ブロバイガスキャッチタンクを設け、排出耐油ホースを防滴受皿へ導き、エンジン室内から機外に油脂類の流出を防止する。【選択図】図２
0003154812.tif 000002
【実用新案登録請求の範囲】
【請求項１】
建設機械エンジン室内の油脂類防滴を防止する装置において、エンジン室に設けてあるアンダーカバー本体に防滴受皿を建設機械油圧機器及びエンジン本体の漏洩予測下部へ設けるとともにブロバイガスキャッチタンクを設け排出耐油ホースを防滴受皿へ導きエンジン室内から機外に油脂類の流出を防止することを特徴とする建設機械エンジン室油脂類防滴防止装置である。
【考案の詳細な説明】
【技術分野】
【０００１】本考案は、建設機械エンジン室に油脂類防滴装置を設けたアンダーカバー本体に関するものである。
【背景技術】
【０００２】従来の建設機械を稼働させるにあたり作動油、燃料、エンジンオイル、ブロバイガス等が装置の故障や劣化により漏洩した油脂類はその構造上地面にそのまま落下し地下浸透していました。
【考案の概要】
【考案が解決しようとする課題】
【０００３】建設機械の油脂類漏洩による地面落下地下浸透は土壌汚染及び浸透流入による河川や海洋汚染等を誘発させ環境破壊が懸念されております。また破壊された環境の自然回復には長期間の時間がかかります。従いまして建設機械エンジン室に油脂類防滴防止装置をアンダーカバー本体内部に設けることにより建設機械従来の形式を変える事無く漏洩した油脂類の地面落下を未然に防ぐことが可能となり前述の欠点を解決しようとするものである。
【課題を解決するための手段】
【０００４】本考案は、建設機械エンジン室アンダーカバー本体に建設機械に運転装備されている油脂類の漏洩時に対する防滴受皿を内部に設けることです。建設機械に運転装備される作動油、燃料、エンジンオイル、ブロバイガス等の油脂類はエンジン室に集中しているために直接漏洩予測下部へ防滴受皿を設けます。防滴受皿底部には雨水等の貯留を阻止させるために水抜口を設けます。同様にブロバイ排気ガスを受取るブロバイガスキャッチタンクを設けるとともに排出耐油ガスホースを防滴受皿へ導き固定しブロバイ排気ガスの液化油脂分を確保します。防滴受皿の形状は建設機械エンジン室内がエンジン、油圧機器類で密集し狭いため的確に漏洩する下部に設置できるよう機能性を高めるため正方形、長方形とします。アンダーカバー本体内部に防滴受皿及びブロバイガスキャッチタンクを設けることにより建設機械の従来形式を変えることなく着脱自在としたため建設機械運転時に不具合等を発生させない建設機械エンジン室油脂類防滴防止装置である。
【考案の効果】
【０００５】本考案の建設機械エンジン室油脂類防滴防止装置は建設機械の従来形式を変えることなく防滴受皿、ブロバイガスキャッチタンクをアンダーカバー本体内部に設けることで建設機械使用時の支障もなく安全に稼働することが可能です。建設機械に運転装備されている作動油、燃料、エンジンオイル、ブロバイガス等が万が一漏洩した場合には油圧機器及びエンジン本体下部の漏洩予測部へ防滴受皿を設け受皿底部にはコの字型網をその上部にオイル吸着マットを設けているため油脂類を確保し地面落下を阻止することが可能となり従来構造上の都合による油脂類漏洩による地面落下を防止できる。防滴受皿底部には雨水等の貯留を阻止させるための水抜口を設けているので防滴受皿内部は常に一定の状態を保つことができる。
【図面の簡単な説明】
【０００６】
【図１】本考案の建設機械エンジン室油脂類防滴防止装置の実施例を示す正面図である。
【図２】建設機械エンジン室油脂類防滴防止装置の防滴受皿一部詳細図である。
【考案を実施するための最良の形態】
【０００７】建設機械エンジン室アンダーカバー本体を取外し建設機械本体に付属する燃料タンク、油圧メインポンプ、各種オイルエレメント、油圧ホース部等の建設機械油圧機器及びエンジン本体下部の油脂類漏洩予測箇所を確認し漏洩予測下部に対し防滴受皿を配置し固定する。固定後に防滴受皿内部にコの字型網を設けるとともにその上部へオイル吸着マットを設ける。油脂類漏洩予測箇所は数箇所となりうるので確実に検討し配置固定させる。エンジン部ブロバイガス排出口より排出耐油ガスホースを這わせブロバイガスキャッチタンクを防滴受皿固定場所に干渉のない位置に設け排出耐油ガスホースを防滴受皿へ導きホース先を固定させる。アンダーカバー本体内部に防滴受皿及びブロバイガスキャッチタンクを設けることにより建設機械の従来形式を変えることなく着脱自在としたため建設機械運転及び使用の際には不具合を発生させることはありません。
【実施例】
【０００８】以下、添付図面に従って実施例を説明いたします。１は建設機械エンジン室アンダーカバー本体、２は油脂類の漏洩時に防滴を受止める防滴受皿でこの防滴受皿２の内部にコの字型網３を設け３上部にオイル吸着マット４を設ける。２底部には雨水等の貯留防止のため水抜口６を設けることで２内部が一定の状態を保持できる。【０００９】前記、１部分の２に干渉なき位置へブロバイガスキャッチタンク７を設け排出耐油ガスホース５を接続する。５を２へ導きブロバイ排気ガスの液化油脂分を２で受止めることが可能である。【００１０】本考案の実施例は上述の如き構成からなるものですからアンダーカバー１内部に防滴受皿２及びブロバイガスキャッチタンク７を設けることで油脂類漏洩の防滴を防止することができ油脂類の地面落下浸透や土壌汚染及び浸透流入による河川、海洋汚染等が緩和され環境破壊を軽減することが可能である。
【符号の説明】
【００１１】１  アンダーカバー本体                        ２ａ  建設機械油圧機器
２  防滴受皿                                  ３ａ  漏洩油脂分
３  コの字型網                                ４ａ  雨水
４  オイル吸着マット                          ５ａ  ブロバイガス液化油脂分
５  排出耐油ガスホース                        ６ａ  ブロバイガス流入口
６  水抜口
７  ブロバイガスキャッチタンク
【図１】
0003154812.tif 000003
【図２】
0003154812.tif 000004
【手続補正書】
【提出日】平成21年7月27日(2009.7.27)
【手続補正１】
【補正対象書類名】実用新案登録請求の範囲
【補正対象項目名】請求項１
【補正方法】変更
【補正の内容】
【請求項１】
建設機械エンジン室内の油脂類防滴を防止する装置において、エンジン室に設けてあるアンダーカバー本体に防滴受皿を建設機械油圧機器及びエンジン本体の漏洩予測下部へ設けるとともにブロバイガスキャッチタンクを設け排出耐油ホースを防滴受皿へ導きエンジン室内から機外に油脂類の流出を防止することを特徴とする建設機械エンジン室油脂類防滴防止装置。
(57)【要約】      （修正有）【課題】滑りにくく、洗浄が容易に行え、さらに鍋つかみとしても用いることができる実用性に優れる鍋敷きを提供する。【解決手段】シリコン樹脂製のフレキシブルで弾力性を持つプレートよりなり、両面の全体にわたって滑り留めの凹凸群を一体に備え、その凹凸群が格子模様Ｍを呈する凸条３が設けられる。耐熱温度を２３０℃とするシリコン樹脂製であるので、加熱状態にある土鍋等が載置されても熱損傷する恐れはない。さらに、表裏面がともに滑り留めの凹凸群を備えているので、テーブル上等に安定して敷設配置できるとともに、その上部に土鍋を安定して載置配置できる。また、シリコン樹脂製であるので、汚れた際には洗剤等を用い洗浄でき、常に清潔な状態で使用できる。【選択図】図１
0003154815.tif 000002
【実用新案登録請求の範囲】
【請求項１】
シリコン樹脂製のフレキシブルで弾力性を持つプレートよりなり、両面の全体にわたって滑り留めの凹凸群を一体に備えてなる鍋敷き。
【請求項２】
前記凹凸群が、凸条により格子模様を呈するように形成されてなる鍋敷き。
【考案の詳細な説明】
【技術分野】
【０００１】  この考案は、鍋敷きの改良に関する。
【背景技術】
【０００２】  土鍋等をテーブル上に置くには通常鍋敷きを用いる。現在その鍋敷きとして木製や紙製等種々のものが提供されている。
【考案の開示】
【考案が解決しようとする課題】
【０００３】  しかしながら、この種従来の鍋敷きは、滑りやすい、汚れた際に洗浄しにくい等という実用上の問題があった。【０００４】  この考案では、滑りにくく、洗浄が容易に行え、さらに鍋つかみとしても用いることができる実用性に優れる鍋敷きを提供する。
【課題を解決するための手段】
【０００５】  この考案では、シリコン樹脂製のフレキシブルで弾力性を持つプレートよりなり、両面の全体にわたって滑り留めの凹凸群を一体に備えてなる鍋敷きを提供する。【０００６】  この考案の構成の鍋敷きは、耐熱温度を２３０℃とするシリコン樹脂製であるので、加熱状態にある土鍋等が載置されても熱損傷する恐れはない。さらに、表裏面がともに滑り留めの凹凸群を備えているので、テーブル上等に安定して敷設配置できるとともに、その上部に土鍋を安定して載置配置できる。また、シリコン樹脂製であるので、汚れた際には洗剤等を用い洗浄でき、常に清潔な状態で使用できる。【０００７】  上記滑り止めの凹凸群は適宜の形態に設けてよく、とくに、凸条により格子模様を呈するように形成することで多数の並設される凹み部分が弾力的に変形して吸盤機能を発揮し、これにより表裏面が吸着する状態となって鍋敷き自身が、また、土鍋等がさらに安定配置される。【０００８】  また、鍋敷きはフレキシブルであるので折り曲げて鍋つかみとしても使用でき、その際表面に凹凸群を備えるので鍋の熱さが手に伝わりにくい。
【考案の効果】
【０００９】  この考案によれば、滑りにくく、洗浄が容易に行え、さらに鍋つかみとしても用いることができる、きわめて実用的な鍋敷きが得られる。
【考案を実施するための形態】
【００１０】  図１はこの考案の鍋敷きの平面図、図２は断面図である。
【００１１】  鍋敷き１は直径を１５ｃｍ程度とする平面形状円形であって、シリコン樹脂製のフレキシブルで弾力性を持つプレートよりなり、略１ｍｍ厚のベースプレート２の両面の全体にわたってその深さを１．５ｍｍ程度とする格子模様Ｍを形成する多数本の凸条３が互いに交差するように一体に付設されている。格子模様Ｍを形成するそれぞれの正方形はその一片長さが４ｍｍ程度とされている。
【００１２】  図３はその使用状態を示し、鍋敷き１は土鍋Ｄの下部に敷かれて用いられている。鍋敷き１はシリコン樹脂製であるので、加熱状態にある土鍋Ｄが置かれても熱損傷する恐れはない。また、その際凸条３による格子模様Ｍを備えていてテーブルＴ面と土鍋Ｄ底面との間に距離が保たれることで、土鍋Ｄ底の熱によりテーブルＴ面が熱損傷することも回避される。
【００１３】  さらに、格子模様Ｍが付設されその表裏面がともに滑り留めの凹凸群を備えているので、テーブルＴ上に安定して敷設配置できるとともに、その上部に土鍋Ｄを安定して載置配置できる。とくに、土鍋Ｄを載置した際には、格子模様Ｍを形成するそれぞれの正方形の凹み部分５が弾力的に変形することで吸盤機能を発揮して表裏面が吸着する状態となり、これにより鍋敷き１自身が、また、土鍋Ｄが安定配置される。
【００１４】  鍋敷き１は、図４に示すように、折り曲げ鍋つかみとしても使用できる。鍋敷き１はフレキシブルであるので支障なく折り曲げることができ、この際にも凸条３による格子模様Ｍを備えていて指面と鍋の把手面との間に距離が保たれることで、指面が熱くなることがない。また、鍋敷き１として使用する場合と同様に、滑りにくく吸着機能を発揮することで、鍋の取り扱いが安定して行える。
【図面の簡単な説明】
【００１５】
【図１】  この考案の鍋敷きの実施形態の平面図
【図２】  この考案の鍋敷きの実施形態の断面図
【図３】  この考案の鍋敷きの実施形態の使用状態説明図
【図４】  この考案の鍋敷きの実施形態の使用状態説明図
【符号の説明】
【００１６】１  鍋敷き
２  ベースプレート
３  凸条
Ｍ  格子模様
【図１】
0003154815.tif 000003
【図２】
0003154815.tif 000004
【図３】
0003154815.tif 000005
【図４】
0003154815.tif 000006
【手続補正書】
【提出日】平成21年7月28日(2009.7.28)
【手続補正１】
【補正対象書類名】実用新案登録請求の範囲
【補正対象項目名】全文
【補正方法】変更
【補正の内容】
【実用新案登録請求の範囲】
【請求項１】
シリコン樹脂製のフレキシブルで弾力性を持つプレートよりなり、両面の全体にわたって滑り止めの凹凸群を一体に備えてなる鍋敷き。
【請求項２】
前記凹凸群が、凸条により格子模様を呈するように形成されてなる請求項１記載の鍋敷き。